(57)【要約】      （修正有）【課題】外観品質を損ねることなく、ソファーのレイアウトに応じた対応をできやすくし、汎用性の向上を図ったソファーを提供する。【解決手段】座面１１を設けた基台１２に背もたれ面１３を設けた背もたれ部１４を立設した本体１０を備え、本体の両側面に夫々着脱機構を介して着脱可能に取付けられる第１側面部材２０及び第２側面部材３０を備え、第１側面部材を、上下方向中心線を境にして左右対称形状に形成し、本体に取付けたときその上端が背もたれ部の上端と略同位になる補助背もたれ部２１として構成し、第２側面部材を、上下方向中心線を境にして左右対称形状に形成し、本体に取付けたとき基台の側面を被覆する被覆部材３１として構成し、着脱機構４０を、第１側面部材が、本体の両側面の何れにも鏡面対称になる関係で取付け可能になり、且つ、第２側面部材が、本体の両側面の何れにも鏡面対称になる関係で取付け可能になるように構成した。【選択図】図１
0003223467.tif 000002
【実用新案登録請求の範囲】
【請求項１】
座面を設けた基台に背もたれ面を設けた背もたれ部を立設した本体を備え、前記本体の両側面に夫々着脱機構を介して着脱可能に取付けられる第１側面部材及び第２側面部材を備えたソファーにおいて、
前記第１側面部材を、上下方向中心線を境にして左右対称形状に形成し、前記本体に取付けたときその上端が前記背もたれ部の上端と略同位になる補助背もたれ部として構成し、
前記第２側面部材を、上下方向中心線を境にして左右対称形状に形成し、前記本体に取付けたとき前記基台の側面を被覆する被覆部材として構成し、
前記着脱機構を、前記第１側面部材が、前記本体の両側面の何れにも鏡面対称になる関係で取付け可能になり、且つ、前記第２側面部材が、前記本体の両側面の何れにも鏡面対称になる関係で取付け可能になるように構成したことを特徴とするソファー。
【請求項２】
前記第１側面部材を、前記本体に取付けたとき、前記基台の側面及び背もたれ部の側面を覆う大きさに形成したことを特徴とする請求項１記載のソファー。
【請求項３】
前記第１側面部材の前記座面側を向く内向き面側の上部に補助背もたれ面を形成し、前記第１側面部材の内向き面側の下部を、前記基台の側面に接合する第１接合面として構成し、
前記第２側面部材の前記座面側を向く内向き面側に、前記基台の側面に接合する第２接合面を形成し、
前記着脱機構を、前記基台の両側面，第１接合面及び第２接合面に設けたことを特徴とする請求項１または２記載のソファー。
【請求項４】
前記本体，第１側面部材及び第２側面部材の少なくとも露出する部分を同色の表皮材で被覆して構成するとともに、前記第１側面部材の補助背もたれ面を、前記背もたれ部の背もたれ面と同様の外観に形成したことを特徴とする請求項３記載のソファー。
【請求項５】
前記着脱機構を、係合部及び前記係合部に係合する被係合部を備えて構成し、前記係合部を、前記基台の両側面に、夫々、所定の配置関係で複数設け、前記被係合部を、前記第１側面部材の第１接合面及び前記第２側面部材の第２接合面に、前記基台の側面に設けた複数の係合部に対応させて複数設けたことを特徴とする請求項３または４記載のソファー。
【請求項６】
前記係合部を、金属板を折曲形成して形成され、両側縁が下側に向けて互いに近接するように傾斜し前記基台の側面に取付けられる台形状の第１取付板と、前記第１取付板の両側縁に一体に立設され内側面を下側に向けて互いに近接するように傾斜したスライド面とした第１スライド板とを備えて構成し、
前記被係合部を、金属板を折曲形成して形成され、両側縁が下側に向けて互いに近接するように傾斜し前記第１側面部材の第１接合面または前記第２側面部材の第２接合面に取付けられる台形状の第２取付板と、前記第２取付板の両側縁に一体に立設され前記第１スライド板のスライド面をスライド可能になるように外側面を下側に向けて互いに近接するように傾斜したスライド面とした第２スライド板とを備えて構成したことを特徴とする請求項５記載のソファー。
【請求項７】
前記係合部を、金属板を折曲形成して形成され、両側縁が上側に向けて互いに近接するように傾斜し前記基台の側面に取付けられる台形状の第１取付板と、前記第１取付板の両側縁に一体に立設され外側面を上側に向けて互いに近接するように傾斜したスライド面とした第１スライド板とを備えて構成し、
前記被係合部を、金属板を折曲形成して形成され、両側縁が上側に向けて互いに近接するように傾斜し前記第１側面部材の第１接合面または前記第２側面部材の第２接合面に取付けられる台形状の第２取付板と、前記第２取付板の両側縁に一体に立設され前記第１スライド板のスライド面をスライド可能になるように内側面を上側に向けて互いに近接するように傾斜したスライド面とした第２スライド板とを備えて構成したことを特徴とする請求項５記載のソファー。
【請求項８】
前記係合部を、前記基台の側面に、その中心線を中心とした線対称位置に複数設け、前記被係合部を、前記第１側面部材の第１接合面及び前記第２側面部材の第２接合面に、その中心線を中心とした線対称位置であって、前記係合部に対応させて複数設けたことを特徴とする請求項６または７記載のソファー。
【請求項９】
前記係合部を、前記基台の側面の中心線上に１つ設け、前記被係合部を、前記第１側面部材の第１接合面の中心線上に１つ設け、前記第２側面部材の第２接合面の中心線上に１つ設けたことを特徴とする請求項８記載のソファー。
【考案の詳細な説明】
【技術分野】
【０００１】
本考案は、座面及び背もたれ面を有した本体の両側面に一対の側面部材を備えたソファーに係り、特に、この側面部材を本体に対して夫々着脱可能に取付けるようにしたソファーに関する。
【背景技術】
【０００２】
従来、この種のソファーとしては、例えば、実用新案登録第３１８５５７１号公報（特許文献１）に掲載されたものが知られている。
図１１に示すように、このソファーＳａは、座面１０１を有した基台１０２に背もたれ面１０３を有した背もたれ部１０４を立設した本体１００を備え、この本体１００の両側面に夫々着脱機構１１０を介して着脱可能に取付けられる第１側面部材１０５及び第２側面部材１０６を備えている。
第１側面部材１０５及び第２側面部材１０６は、いずれも、肘掛け部材として構成されている。着脱機構１１０は、係合部１１１及び係合部１１１に係合する被係合部１１２を備えて構成されており、基台１０２及び背もたれ部１０４の両側面に、夫々、複数の係合部１１１を設け、第１側面部材１０５の座面１０１側の内向き面１０７及び第２側面部材１０６の座面１０１側の内向き面１０８に、夫々、係合部１１１に対応させて複数の被係合部１１２を設けており、本体１００の左右で、夫々、第１側面部材１０５及び第２側面部材１０６の専用の機構になっている。
【先行技術文献】
【特許文献】
【０００３】
【特許文献１】実用新案登録第３１８５５７１号公報
【考案の概要】
【考案が解決しようとする課題】
【０００４】
ところで、この従来のソファーＳａにあっては、図１１に示すように、例えば、肘掛け部のないソファーＳｂと一端側で直角に接合する場合、肘掛け部のないソファーＳｂに合わせて、他端側の肘掛け（第１側面部材１０５）を取り外すと、被係合部１１１のある本体１００の側面が露出して外観品質を損ねてしまう。
また、肘掛け部のないソファーＳｂの背もたれ部２００に連続するのは高さの低い肘掛け部（第２側面部材１０６）になるので、この点でも外観品質を損ねる。一方、部屋の条件や模様替えなどで、肘掛け部のないソファーＳｂと他端側で直角に接合する場合にも同様の問題が生じる。
このことは、例えば、壁に沿って、肘掛け部（第１側面部材１０５若しくは第２側面部材１０６）が壁に当接しないように肘掛け部を取り外す際にも生じ、肘掛け部を取り外す場合には、被係合部１１１により壁を傷つける虞も生じる。そのため、ソファーのレイアウトに応じた対応ができにくいという問題があった。
【０００５】
本考案はこのような問題点に鑑みてなされたもので、外観品質を損ねることなく、ソファーのレイアウトに応じた対応をできやすくし、汎用性の向上を図ったソファーを提供することを課題とする。
【課題を解決するための手段】
【０００６】
このような目的を達成するための本考案のソファーは、請求項１の考案にあっては、座面を設けた基台に背もたれ面を設けた背もたれ部を立設した本体を備え、前記本体の両側面に夫々着脱機構を介して着脱可能に取付けられる第１側面部材及び第２側面部材を備えたソファーにおいて、
前記第１側面部材を、上下方向中心線を境にして左右対称形状に形成し、前記本体に取付けたときその上端が前記背もたれ部の上端と略同位になる補助背もたれ部として構成し、
前記第２側面部材を、上下方向中心線を境にして左右対称形状に形成し、前記本体に取付けたとき前記基台の側面を被覆する被覆部材として構成し、
前記着脱機構を、前記第１側面部材が、前記本体の両側面の何れにも鏡面対称になる関係で取付け可能になり、且つ、前記第２側面部材が、前記本体の両側面の何れにも鏡面対称になる関係で取付け可能になるように構成としている。
【０００７】
ここで、鏡面対称になる関係とは、第１側面部材が本体の一方側の側面に取付けられた際の座面側の内向き面が、第１側面部材が本体の他方側の側面においても、座面側を向いて取付けられ、第１側面部材が本体の一方側の側面に取付けられた際の本体に対する位置や外観と、第１側面部材が本体の他方側の側面に取付けられた際の本体に対する位置や外観とが、あたかも、鏡面に映したようになる関係をいう。第２側面部材においても同様である。
【０００８】
これにより、例えば、肘掛け部のないソファーと一端側で直角に接合する場合、本体の一端側に第１側面部材を位置させ、他端側に第２側面部材を位置させる。この場合、本体の一端側には、第１側面部材からなる補助背もたれ部が位置するので、本ソファーの背もたれ部と、肘掛け部のないソファーの背もたれ部とが補助背もたれ部を介して連続することになり、そのため、外観品質が大幅に向上させられる。また、肘掛け部のないソファーとの連結部位でも補助背もたれ部を利用できるので、座り心地も向上させられる。また、本体の他端側には、第２側面部材が取付けられるので、着脱機構が隠されることになり、そのため、この点でも外観品質が向上させられる。
【０００９】
一方、部屋の条件や模様替えなどで、肘掛け部のないソファーと他端側で直角に接合する場合には、第１側面部材及び第２側面部材を取り外し、位置関係を逆にする。この場合、着脱機構は、第１側面部材が、本体の両側面の何れにも鏡面対称になる関係で取付け可能になり、且つ、第２側面部材が、本体の両側面の何れにも鏡面対称になる関係で取付け可能になるように構成されているので、位置関係が逆になっても、容易に取付けを行うことができる。即ち、別途、専用の部材を用意しなくても容易に対応することができるようになる。
これによっても、本体の他端側には、第１側面部材からなる補助背もたれ部が位置するので、本ソファーの背もたれ部と、肘掛け部のないソファーの背もたれ部とが補助背もたれ部を介して連続することになり、そのため、外観品質が大幅に向上させられる。また、肘掛け部のないソファーとの連結部位でも補助背もたれ部を利用できるので、座り心地も向上させられる。また、本体の一端側には、第２側面部材が取付けられるので、着脱機構が隠されることになり、そのため、この点でも外観品質が向上させられる。
【００１０】
このことは、例えば、壁に沿って、肘掛け部が壁に沿うことを嫌う場合にも、同様に外観品質を向上させることができる。また、被覆部材によって着脱機構が覆い隠されるので、壁を傷つける事態を防止することができる。即ち、本考案によれば、外観品質を損ねることなく、ソファーのレイアウトに応じた対応ができやすくなり、汎用性を向上させることができる。
【００１１】
また、請求項２の考案は、前記第１側面部材を、前記本体に取付けたとき、前記基台の側面及び背もたれ部の側面を覆う大きさに形成した構成としている。基台の側面のみならず背もたれ部の側面も覆われるので、より一層、外観品質を向上させることができる。
【００１２】
更に、請求項３の考案は、前記第１側面部材の前記座面側を向く内向き面側の上部に補助背もたれ面を形成し、前記第１側面部材の内向き面側の下部を、前記基台の側面に接合する第１接合面として構成し、前記第２側面部材の前記座面側を向く内向き面側に、前記基台の側面に接合する第２接合面を形成し、前記着脱機構を、前記基台の両側面，第１接合面及び第２接合面に設けた構成としている。
これにより、本体の左右には、第１側面部材をその内向き面側を座面側に向けて取付け、第２側面部材をその内向き面側を座面側に向けて取付けるので、取付けが容易になる。また、着脱機構を、基台の両側面，第１接合面及び第２接合面に集約したので、基台に対する第１接合面及び第２接合面の支持が確実になる。
【００１３】
更にまた、請求項４の考案は、前記本体，第１側面部材及び第２側面部材の少なくとも露出する部分を同色の表皮材で被覆して構成するとともに、前記第１側面部材の補助背もたれ面を、前記背もたれ部の背もたれ面と同様の外観に形成した構成としている。前記本体，第１側面部材及び第２側面部材の一体感が生じ、特に、補助背もたれ部の補助背もたれ面と背もたれ部の背もたれ面との一体感が増し、より一層外観品質を向上させることができる。
【００１４】
また、請求項５の考案は、着脱機構を、係合部及び前記係合部に係合する被係合部を備えて構成し、前記係合部を、前記基台の両側面に、夫々、所定の配置関係で複数設け、前記被係合部を、前記第１側面部材の第１接合面及び前記第２側面部材の第２接合面に、前記基台の側面に設けた複数の係合部に対応させて複数設けた構成としている。着脱機構の構造を比較的簡易にすることができる。
【００１５】
更に、請求項６の考案は、前記係合部を、金属板を折曲形成して形成され、両側縁が下側に向けて互いに近接するように傾斜し前記基台の側面に取付けられる台形状の第１取付板と、前記第１取付板の両側縁に一体に立設され内側面を下側に向けて互いに近接するように傾斜したスライド面とした第１スライド板とを備えて構成し、
前記被係合部を、金属板を折曲形成して形成され、両側縁が下側に向けて互いに近接するように傾斜し前記第１側面部材の第１接合面または前記第２側面部材の第２接合面に取付けられる台形状の第２取付板と、前記第２取付板の両側縁に一体に立設され前記第１スライド板のスライド面をスライド可能になるように外側面を下側に向けて互いに近接するように傾斜したスライド面とした第２スライド板とを備えて構成している。
台形状のスライド面同士で荷重を受けるので、装着しやすく、また、支持が確実になる。
【００１６】
更にまた、請求項７の考案は、前記係合部を、金属板を折曲形成して形成され、両側縁が上側に向けて互いに近接するように傾斜し前記基台の側面に取付けられる台形状の第１取付板と、前記第１取付板の両側縁に一体に立設され外側面を上側に向けて互いに近接するように傾斜したスライド面とした第１スライド板とを備えて構成し、
前記被係合部を、金属板を折曲形成して形成され、両側縁が上側に向けて互いに近接するように傾斜し前記第１側面部材の第１接合面または前記第２側面部材の第２接合面に取付けられる台形状の第２取付板と、前記第２取付板の両側縁に一体に立設され前記第１スライド板のスライド面をスライド可能になるように内側面を上側に向けて互いに近接するように傾斜したスライド面とした第２スライド板とを備えて構成した構成としている。
台形状のスライド面同士で荷重を受けるので、装着しやすく、また、支持が確実になる。
【００１７】
また、請求項８の考案は、前記係合部を、前記基台の側面に、その中心線を中心とした線対称位置に複数設け、前記被係合部を、前記第１側面部材の第１接合面及び前記第２側面部材の第２接合面に、その中心線を中心とした線対称位置であって、前記係合部に対応させて複数設けた構成としている。係合部及び被係合部を、中心線を中心とした線対称位置に設けたので、支持を安定化させることができる。
【００１８】
更に、請求項９の考案は、前記係合部を、前記基台の側面の中心線上に１つ設け、前記被係合部を、前記第１側面部材の第１接合面の中心線上に１つ設け、前記第２側面部材の第２接合面の中心線上に１つ設けた構成としている。係合部及び被係合部を、中心線上にも設けたので、より一層支持を安定化させることができる。
【考案の効果】
【００１９】
本考案のソファーは、請求項１の考案にあっては、第１側面部材を、左右対称形状の補助背もたれ部として構成し、第２側面部材を、左右対称形状の被覆部材として構成し、着脱機構を、第１側面部材及び第２側面部材が、本体の両側面の何れにも鏡面対称になる関係で取付け可能になるように構成したので、例えば、肘掛け部のないソファーを一端側あるいは他端側に直角に接合する場合、これに合わせて、第１側面部材及び第２側面部材を本体の一端側及び他端側のいずれか一方に位置させることができる。
そのため、本ソファーの背もたれ部と、肘掛け部のないソファーの背もたれ部とが補助背もたれ部を介して連続することになり、外観品質が大幅に向上させられる。また、肘掛け部のないソファーとの連結部位でも補助背もたれ部を利用できるので、座り心地も向上させられる。また、第２側面部材により、着脱機構が隠されることになり、そのため、この点でも外観品質が向上させられる。このことは、例えば、壁に沿って、肘掛け部が壁に沿うことを嫌う場合にも、同様に外観品質を向上させることができる。また、被覆部材によって着脱機構が覆い隠されるので、壁を傷つける事態を防止することができる。即ち、本考案によれば、外観品質を損ねることなく、ソファーのレイアウトに応じた対応ができやすくなり、汎用性を向上させることができる。
【００２０】
また、請求項２の考案にあっては、第１側面部材を、本体に取付けたとき、基台の側面及び背もたれ部の側面を覆う大きさに形成したので、基台の側面のみならず背もたれ部の側面も覆われることから、より一層、外観品質を向上させることができる。
【００２１】
更に、請求項３の考案にあっては、第１側面部材の内向き面側の上部に補助背もたれ面を形成し、その下部を第１接合面として構成し、第２側面部材の内向き面側に第２接合面を形成し、着脱機構を、基台の両側面，第１接合面及び第２接合面に設けたので、本体の左右には、第１側面部材をその内向き面側を座面側に向けて取付け、第２側面部材をその内向き面側を座面側に向けて取付けるので、取付けが容易になる。また、着脱機構を、基台の両側面，第１接合面及び第２接合面に集約したので、基台に対する第１接合面及び第２接合面の支持が確実になる。
【００２２】
更にまた、請求項４の考案にあっては、本体，第１側面部材及び第２側面部材の少なくとも露出する部分を同色の表皮材で被覆して構成するとともに、第１側面部材の補助背もたれ面を、背もたれ部の背もたれ面と同様の外観に形成したので、本体，第１側面部材及び第２側面部材の一体感が生じ、特に、補助背もたれ部の補助背もたれ面と背もたれ部の背もたれ面との一体感が増し、より一層外観品質を向上させることができる。
【００２３】
また、請求項５の考案にあっては、着脱機構を、係合部及び係合部に係合する被係合部を備えて構成し、係合部を、基台の両側面に所定の配置関係で複数設け、被係合部を、第１側面部材の第１接合面及び第２側面部材の第２接合面に、基台の側面に設けた複数の係合部に対応させて複数設けたので、着脱機構の構造を比較的簡易にすることができる。
【００２４】
更に、請求項６の考案にあっては、係合部及び被係合部を台形状に形成して係合させるようにしたので、台形状のスライド面同士で荷重を受けることから、装着しやすく、また、支持が確実になる。
【００２５】
更にまた、請求項７の考案にあっても、係合部及び被係合部を台形状に形成して係合させるようにしたので、台形状のスライド面同士で荷重を受けることから、装着しやすく、また、支持が確実になる。
【００２６】
また、請求項８の考案にあっては、係合部及び被係合部を、中心線を中心とした線対称位置に設けたので、支持を安定化させることができる。
【００２７】
更に、請求項９の考案にあっては、係合部及び被係合部を、中心線上にも設けたので、より一層支持を安定化させることができる。
【図面の簡単な説明】
【００２８】
【図１】本考案に係るソファーの一実施形態を示す分解斜視図である。
【図２】本考案に係るソファーの一実施形態を示す分解正面図である。
【図３】本考案に係るソファーの一実施形態において、第１側面部材を示し、（ａ）は内向き面側から見た図、（ｂ）はその側面図である。
【図４】本考案に係るソファーの一実施形態において、第２側面部材をその取付け状態とともに示す図である。
【図５】本考案に係るソファーの一実施形態において、着脱機構の係合部及び被係合部を示す分解斜視図である。
【図６】本考案に係るソファーの一実施形態において、第１側面部材及び第２側面部材の取付けの一態様を示す斜視図である。
【図７】本考案に係るソファーの一実施形態において、第１側面部材及び第２側面部材の取付けの別態様を示す斜視図である。
【図８】本考案に係るソファーの一実施形態において、着脱機構の係合部及び被係合部の別例を示す分解斜視図である。
【図９】本考案に係るソファーの一実施形態において、着脱機構の係合部及び被係合部の別の配置例を示す図である。
【図１０】本考案に係るソファーの一実施形態において、着脱機構の係合部及び被係合部のまた別の配置例を示す分解斜視図である。
【図１１】従来のソファーの一例を示す図である。
【考案を実施するための形態】
【００２９】
以下、添付図面に基づいて、本考案の実施の形態に係るソファーについて詳細に説明する。
図１乃至図７に示すように、本考案の実施の形態に係るソファーＳは、座面１１を設けた基台１２に背もたれ面１３を設けた背もたれ部１４を立設した本体１０を備え、本体１０の両側面に夫々着脱機構４０を介して着脱可能に取付けられる第１側面部材２０及び第２側面部材３０を備えて構成されている。本体１０の基台１２の側面１５は、金属製や木製等の硬質の板材で構成されている。
また、本体１０の少なくとも外部に露出する部分は、皮，樹脂シート，布等の表皮材で被覆されている。また、図２乃至図４に示すように、本体１０及び第１側面部材２０には脚体１６が設けられている。尚、図１，図６及び図７においては脚体１６を省略している。
【００３０】
第１側面部材２０は、上下方向中心線Ｐ１を境にして左右対称形状に形成されており、本体１０に取付けたとき、その上端が背もたれ部１４の上端と略同位になる補助背もたれ部２１として構成されている。
第１側面部材２０は、全体は正面略矩形状に形成されており、本体１０に取付けたとき、基台１２の側面１５及び背もたれ部１４の側面１７を覆う大きさに形成されている。第１側面部材２０の座面１１側を向く内向き面側の上部には、補助背もたれ面２２が形成されており、第１側面部材２０の内向き面側の下部は、基台１２の側面１５に接合する第１接合面２３として構成されている。第１接合面２３が形成される下部は、金属製や木製等の硬質の板材を用いて構成されている。
【００３１】
第１側面部材２０の少なくとも露出する部分は、本体１０と同色で同材質の表皮材で被覆されている。実施の形態では、第１側面部材２０全体が表皮材で被覆されている。また、第１側面部材２０の補助背もたれ面２２は、背もたれ部１４の背もたれ面１３と同様の外観（デザイン）に形成されている。
【００３２】
第２側面部材３０は、上下方向中心線Ｐ２を境にして左右対称形状に形成されており、本体１０に取付けたとき、基台１２の側面１５を被覆する被覆部材３１として構成されている。被覆部材３１は、本体１０に取付けたとき、その上端が座面１１の上端と略同位になるように正面略矩形状に形成されている。
尚、被覆部材３１は、基台１２の側面１５の全部を覆わなくてもよく、少なくとも、後述の係合部４１のある部分を覆うようにその大きさを適宜に定めてよい。第２側面部材３０の座面１１側を向く内向き面側には、基台１２の側面１５に接合する第２接合面３２が形成されている。
第２側面部材３０は、金属製や木製等の硬質の板材を用いて構成されている。第２側面部材３０の少なくとも露出する部分は、本体１０と同色で同材質の表皮材で被覆されている。実施の形態では、第２側面部材３０全体が表皮材で被覆されている。
【００３３】
着脱機構４０は、第１側面部材２０が、本体１０の両側面の何れにも鏡面対称になる関係で取付け可能になり、且つ、第２側面部材３０が、本体１０の両側面の何れにも鏡面対称になる関係で取付け可能になるように構成されている。着脱機構４０は、基台１２の両側面，第１接合面２３及び第２接合面３２に設けられている。
【００３４】
ここで、鏡面対称になる関係とは、第１側面部材２０が本体１０の一方側の側面に取付けられた際の座面１１側の内向き面が、第１側面部材２０が本体１０の他方側の側面においても、座面１１側を向いて取付けられ、第１側面部材２０の本体１０に対する位置や外観が、本体１０の一方側の側面に取付けられた際と、本体１０の他方側の側面に取付けられた際とで、あたかも、鏡面に映したようになる関係をいう。第２側面部材３０においても同様である。
【００３５】
また、着脱機構４０は、係合部４１及びこの係合部４１に係合する被係合部４２を備えて構成されている。基台１２の両側面１５には、夫々、係合部４１が所定の配置関係で複数設けられ、第１側面部材２０の第１接合面２３には、基台１２の両側面１５にある複数の係合部４１に対応させて被係合部４２が複数設けられ、第２側面部材３０の第２接合面３２には、基台１２の両側面１５にある複数の係合部４１に対応させて被係合部４２が複数設けられている。
【００３６】
詳しくは、図５に示すように、係合部４１は、金属板を折曲形成して形成され、両側縁が下側に向けて互いに近接するように傾斜し基台１２の側面１５にビス（図示せず）で取付けられる台形状の第１取付板４３と、第１取付板４３の両側縁に一体に内側に湾曲させて立設され内側面を下側に向けて互いに近接するように傾斜したスライド面４４とした第１スライド板４５とを備えて構成されている。
【００３７】
被係合部４２は、金属板を折曲形成して形成され、両側縁が下側に向けて互いに近接するように傾斜し第１側面部材２０の第１接合面２３または第２側面部材３０の第２接合面３２にビス（図示せず）で取付けられる台形状の第２取付板４６と、第２取付板４６の両側縁に一体に内側に湾曲させて立設され第１スライド板４５のスライド面４４をスライド可能になるように外側面を下側に向けて互いに近接するように傾斜したスライド面４７とした第２スライド板４８とを備えて構成されている。
【００３８】
そして、図１に示すように、係合部４１は、基台１２の側面１５に、その中心線Ｐ０を中心とした線対称位置に３つ設けられている。１つの係合部４１は、基台１２の側面１５の中心線Ｐ０上に設けられ、他の２つの係合部４１は、中心線Ｐ０上の係合部４１より上位で、互いに同位に設けられている。
【００３９】
一方、被係合部４２は、第１側面部材２０の第１接合面２３及び第２側面部材３０の第２接合面３２に、その中心線Ｐ１，Ｐ２を中心とした線対称位置であって、係合部４１に対応させて３つ設けられている。第１側面部材２０において、１つの被係合部４２は、第１接合面２３の中心線Ｐ１上に設けられ、他の２つの被係合部４２は、中心線Ｐ１上の被係合部４２より上位で、互いに同位に設けられている。第２側面部材３０において、１つの被係合部４２は、第２接合面３２の中心線Ｐ２上に設けられ、他の２つの被係合部４２は、中心線Ｐ２上の被係合部４２より上位で、互いに同位に設けられている。これにより、着脱機構４０の構造を比較的簡易にすることができる。
【００４０】
従って、実施の形態に係るソファーＳによれば、図６に示すように、例えば、肘掛け部のないソファーＳｂと一端側で直角に接合する場合、本体１０の一端側に第１側面部材２０を位置させ、他端側に第２側面部材３０を位置させる。この場合、本体１０の一端側には、第１側面部材２０からなる補助背もたれ部２１が位置するので、本ソファーＳの背もたれ部１４と、肘掛け部のないソファーＳｂの背もたれ部２００とが補助背もたれ部２１を介して連続することになり、そのため、外観品質が大幅に向上させられる。
また、肘掛け部のないソファーＳｂとの連結部位でも補助背もたれ部２１を利用できるので、座り心地も向上させられる。また、本体１０の他端側には、第２側面部材３０が取付けられるので、着脱機構４０が隠されることになり、そのため、この点でも外観品質が向上させられる。
【００４１】
一方、図７に示すように、部屋の条件や模様替えなどで、肘掛け部のないソファーＳｂと他端側で直角に接合する場合には、第１側面部材２０及び第２側面部材３０を取り外し、位置関係を逆にして取付ける。この場合、着脱機構４０は、第１側面部材２０が、本体１０の両側面の何れにも鏡面対称になる関係で取付け可能になり、且つ、第２側面部材３０が、本体１０の両側面の何れにも鏡面対称になる関係で取付け可能になるように構成されているので、位置関係が逆になっても、容易に取付けを行うことができる。即ち、別途、専用の部材を用意しなくても容易に対応することができるようになる。
【００４２】
また、第１側面部材２０及び第２側面部材３０の本体１０に対する取付けは、係合部４１に被係合部４２をスライドさせて行なうが、係合部４１及び被係合部４２の台形状のスライド面同士で荷重を受けるので、装着しやすく、また、支持が確実になる。特に、係合部４１及び被係合部４２を、中心線Ｐ０，Ｐ１，Ｐ２を中心とした線対称位置に設けたので、支持を安定化させることができる。更に、係合部４１及び被係合部４２を、中心線Ｐ１，Ｐ２上にも設けたので、より一層支持を安定化させることができる。
【００４３】
そして、この位置関係を逆にして取付けた場合にも、本体１０の他端側には、第１側面部材２０からなる補助背もたれ部２１が位置するので、本ソファーＳの背もたれ部１４と、肘掛け部のないソファーＳｂの背もたれ部２００とが補助背もたれ部２１を介して連続することになり、そのため、外観品質が大幅に向上させられる。また、肘掛け部のないソファーＳｂとの連結部位でも補助背もたれ部２１を利用できるので、座り心地も向上させられる。また、本体１０の一端側には、第２側面部材３０が取付けられるので、着脱機構４０が隠されることになり、そのため、この点でも外観品質が向上させられる。
【００４４】
従って、例えば、壁に沿って、肘掛け部が壁に沿うことを嫌う場合にも、同様に外観品質を向上させることができる。また、補助背もたれ部３１や被覆部材３１によって着脱機構４０が覆い隠されるので、壁を傷つける事態を防止することができる。即ち、本考案によれば、外観品質を損ねることなく、ソファーＳのレイアウトに応じた対応ができやすくなり、汎用性を向上させることができる。
【００４５】
また、第１側面部材２０を本体１０に取付けたときは、基台１２の側面１５及び背もたれ部１４の側面１７の両方が覆われ、即ち、基台１２の側面１５のみならず背もたれ部１４の側面１７もおおわれるので、より一層、外観品質を向上させることができる。更に、着脱機構４０を、基台１２の両側面１５，第１接合面２３及び第２接合面３２に集約したので、基台１２に対する第１接合面２３及び第２接合面３２の支持が確実になる。
【００４６】
更にまた、本体１０，第１側面部材２０及び第２側面部材３０の少なくとも露出する部分を同色で同材質の表皮材で被覆して構成するとともに、第１側面部材２０の補助背もたれ面２２を背もたれ部１４の背もたれ面１３と同様の外観に形成したので、本体１０，第１側面部材２０及び第２側面部材３０の一体感が生じ、特に、補助背もたれ部２１の補助背もたれ面２２と背もたれ部１４の背もたれ面１３との一体感が増し、より一層外観品質を向上させることができる。
【００４７】
図８には、着脱機構４０において、係合部４１及び被係合部４２の別の例を示している。この着脱機構４０において、係合部４１は、金属板を折曲形成して形成され、両側縁が上側に向けて互いに近接するように傾斜し基台１２の側面１５に取付けられる台形状の第１取付板４３と、第１取付板４３の両側縁に一体に立設され外側面を上側に向けて互いに近接するように傾斜したスライド面４４とした第１スライド板４５とを備えて構成されている。
【００４８】
一方、被係合部４２は、金属板を折曲形成して形成され、両側縁が上側に向けて互いに近接するように傾斜し第１側面部材２０の第１接合面２３または第２側面部材３０の第２接合面３２に取付けられる台形状の第２取付板４６と、第２取付板４６の両側縁に一体に立設され第１スライド板４５のスライド面４４をスライド可能になるように内側面を上側に向けて互いに近接するように傾斜したスライド面４７とした第２スライド板４８とを備えて構成されている。これによっても、前記と同様の作用，効果を奏する。
【００４９】
尚、前記実施の形態では、被係合部４２を、各面において、夫々、３つ設け、１つは中心線Ｐ１，Ｐ２上に設け、他の２つは、中心線Ｐ１，Ｐ２上のものより上位で、互いに同位に設けたが、必ずしもこれに限定されるものではなく、図９に示すように、１つは中心線Ｐ１，Ｐ２上に設け、他の２つのは、中心線Ｐ１，Ｐ２上のものより下位で、互いに同位に設けてもよく、適宜変更して差支えない。
【００５０】
また、前記実施の形態では、係合部４１，被係合部４２を、３つ線対称に設けたが、必ずしもこれに限定されるものではなく、例えば、図１０に示すように、２つを中心線Ｐ０，Ｐ１，Ｐ２を境にして互いに中心線Ｐ０，Ｐ１，Ｐ２から等距離で、斜めに配置してもよく、適宜変更して差支えない。
第１側面部材２０が、本体１０の両側面の何れにも鏡面対称になる関係で取付け可能になり、且つ、第２側面部材３０が、本体１０の両側面の何れにも鏡面対称になる関係で取付け可能になるように、係合部４１及び被係合部４２の数と配置は、適宜に定めてよい。
また、係合部４１及び被係合部４２の構成も上述したものに限定されず、着脱機構４０の構成も上述したものに限定されないことは勿論である。
さらに、本実施の形態にあっては、第１側面部材２０の少なくとも露出する部分及び第２側面部材３０の少なくとも露出する部分は、本体１０と同色で同材質の表皮材で被覆されている場合を例に説明したが、上記実施の形態に限定されず、第１側面部材２０及び第２側面部材３０を本体１０と異なる色彩又は異なる材質の表皮材により形成してもよい。
このように第１側面部材２０及び第２側面部材３０を本体１０と異なる色彩の表皮材により形成した場合には、同一のソファーＳにおいてカラーコーディネートを現出させることができると共に、異なる材質の表皮材により形成した場合には、デザイン的な斬新さを表すことができ、双方ともにソファーＳの趣向性を向上させることも可能となる。
本考案は、上述した実施の形態に限定されず、当業者は、本考案の新規な教示及び効果から実質的に離れることなく、これら例示である実施の形態に多くの変更を加えることが容易であり、これらの多くの変更は本考案の範囲に含まれる。
【符号の説明】
【００５１】
Ｓ  ソファー
Ｓｂ  肘掛け部のないソファー
１０  本体
１１  座面
１２  基台
１３  背もたれ面
１４  背もたれ部
１５  基台の側面
１６  脚体
１７  背もたれ部側面
２０  第１側面部材
２１  補助背もたれ部
２２  補助背もたれ面
２３  第１接合面
３０  第２側面部材
３１  被覆部材
３２  第２接合面
４０  着脱機構
４１  係合部
４２  被係合部
Ｐ０，Ｐ１，Ｐ２  中心線
４３  第１取付板
４４  スライド面
４５  第１スライド板
４６  第２取付板
４７  スライド面
４８  第２スライド板
【図１】
0003223467.tif 000003
【図２】
0003223467.tif 000004
【図３】
0003223467.tif 000005
【図４】
0003223467.tif 000006
【図５】
0003223467.tif 000007
【図６】
0003223467.tif 000008
【図７】
0003223467.tif 000009
【図８】
0003223467.tif 000010
【図９】
0003223467.tif 000011
【図１０】
0003223467.tif 000012
【図１１】
0003223467.tif 000013